【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
錠剤シートを保持するシート保持部と、
前記錠剤シートを搬送する搬送手段と、
処方データに基づき、前記搬送手段により前記シート保持部から錠剤の取り出し位置に搬送された錠剤シートから錠剤を取り出す取り出し動作を行う錠剤取出し手段と、
前記搬送手段により前記錠剤シートが排出される排出路と、
前記錠剤取出し手段で錠剤の取り出し動作を行う第１の処方データに含まれる薬剤情報と、前記第１の処方データの次に前記錠剤取出し手段で錠剤の取り出し動作を行う第２の処方データに含まれる薬剤情報とが同一ではない場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出するように前記搬送手段を制御し、また、前記第１の処方データに含まれる薬剤情報と前記第２の処方データに含まれる薬剤情報とが同一である場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出しないように前記搬送手段を制御する制御手段と、
を備えることを特徴とする錠剤供給装置。
【請求項２】
前記制御手段は、前記第１の処方データに含まれる薬剤情報と前記第２の処方データに含まれる薬剤情報とが同一ではない場合には、前記第１の処方データに含まれる錠剤数の錠剤を取り出す取り出し動作が完了してから、前記第２の処方データに含まれる錠剤数の錠剤を取り出す取り出し動作が開始するまでの間に、前記シート保持部に保持された錠剤シートを前記排出路に排出するように前記搬送手段を制御し、また、前記第１の処方データに含まれる薬剤情報と前記第２の処方データに含まれる薬剤情報とが同一である場合には、前記第１の処方データに含まれる錠剤数の錠剤を取り出す取り出し動作が完了してから、前記第２の処方データに含まれる錠剤数の錠剤を取り出す取り出し動作が開始するまでの間に、前記シート保持部に保持された錠剤シートを前記排出路に排出しないように前記搬送手段を制御することを特徴とする請求項１に記載の錠剤供給装置。
【請求項３】
前記制御手段は、前記第１の処方データに含まれる薬剤情報と前記第２の処方データに含まれる薬剤情報とが同一ではない場合には、前記第１の処方データに含まれる錠剤数の錠剤を取り出す取り出し動作が完了してから、前記第２の処方データに含まれる錠剤数の錠剤を取り出す取り出し動作が開始するまでの間に、前記シート保持部に保持された錠剤シートの全てを前記排出路に排出するように前記搬送手段を制御し、また、前記第１の処方データに含まれる薬剤情報と前記第２の処方データに含まれる薬剤情報とが同一である場合には、前記第１の処方データに含まれる錠剤数の錠剤を取り出す取り出し動作が完了してから、前記第２の処方データに含まれる錠剤数の錠剤を取り出す取り出し動作が開始するまでの間に、前記シート保持部に保持された錠剤シートを前記排出路に排出しないように前記搬送手段を制御することを特徴とする請求項１又は２に記載の錠剤供給装置。
【請求項４】
前記制御手段は、前記第１の処方データに含まれる薬剤情報と前記第２の処方データに含まれる薬剤情報とが同一である場合には、前記第１の処方データに含まれる錠剤数の錠剤を取り出す取り出し動作が完了してから、前記第２の処方データに含まれる錠剤数の錠剤を取り出す取り出し動作が開始するまでの間に、搬送経路内に残っている錠剤シートの錠剤収容部であって前記錠剤取出し動作が行われていない錠剤収容部、又は、前記シート保持部に保持された錠剤シートの錠剤収容部が、前記取り出し位置に配置されるように前記錠剤シートを搬送するように前記搬送手段を制御することを特徴とする請求項１乃至３の何れか１項に記載の錠剤供給装置。
【請求項５】
前記錠剤取出し手段とは異なる他の錠剤取出し手段と、
前記第１の処方データに含まれる薬剤情報と前記第２の処方データに含まれる薬剤情報とが同一ではなく、かつ、前記第２の処方データに従って、前記他の錠剤取り出し手段による取り出し動作が行われないことを条件に、前記第２の処方データを編集する操作指示を受け付ける編集受付手段と、
を更に備えることを特徴とする請求項１乃至４の何れか１項に記載の錠剤供給装置。
【請求項６】
前記第１の処方データに含まれる薬剤情報と前記第２の処方データに含まれる薬剤情報とが同一ではなく、かつ、前記第２の処方データに従って、前記他の錠剤取り出し手段による取り出し動作が行われないことを条件に、前記第２の処方データを編集するか否かの選択を受け付ける選択受付手段を更に備え、
前記制御手段は、前記選択受付手段により、前記第２の処方データを編集しない選択を受け付けた場合には、前記第１の処方データに基づく錠剤の取り出し動作が完了してから、前記第２の処方データに基づく錠剤の取り出し動作が開始するまでの間に、前記シート保持部に保持された錠剤シートを前記排出路に排出するように前記搬送手段を制御し、また、前記選択受付手段により、前記第２の処方データを編集する選択を受け付けた場合には、前記編集受付手段により前記第２の処方データを編集する操作指示を受け付けることを特徴とする請求項５に記載の錠剤供給装置。
【請求項７】
錠剤シートを保持するシート保持部と、
前記錠剤シートを搬送する搬送手段と、
処方データに基づき、前記搬送手段により前記シート保持部から錠剤の取り出し位置に搬送された錠剤シートから錠剤を取り出す取り出し動作を行う錠剤取出し手段と、
前記錠剤シートが排出される排出路と、
を備えた錠剤供給装置における錠剤供給方法であって、
前記錠剤取出し手段で錠剤の取り出し動作を行う第１の処方データに含まれる薬剤情報と、前記第１の処方データの次に前記錠剤取出し手段で錠剤の取り出し動作を行う第２の処方データに含まれる薬剤情報とが同一ではない場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出するように前記搬送手段を制御し、また、前記第１の処方データに含まれる薬剤情報と前記第２の処方データに含まれる薬剤情報とが同一である場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出しないように前記搬送手段を制御する制御工程を備えることを特徴とする錠剤供給方法。
【請求項８】
錠剤シートを保持するシート保持部と、
前記錠剤シートを搬送する搬送手段と、
処方データに基づき、前記搬送手段により前記シート保持部から錠剤の取り出し位置に搬送された錠剤シートから錠剤を取り出す取り出し動作を行う錠剤取出し手段と、
前記錠剤シートが排出される排出路と、
を備えた錠剤供給装置で読み取り実行可能なプログラムであって、
前記錠剤供給装置を、
前記錠剤取出し手段で錠剤の取り出し動作を行う第１の処方データに含まれる薬剤情報と、前記第１の処方データの次に前記錠剤取出し手段で錠剤の取り出し動作を行う第２の処方データに含まれる薬剤情報とが同一ではない場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出するように前記搬送手段を制御し、また、前記第１の処方データに含まれる薬剤情報と前記第２の処方データに含まれる薬剤情報とが同一である場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出しないように前記搬送手段を制御する制御手段として機能させることを特徴とするプログラム。
【手続補正２】
【補正対象書類名】明細書
【補正対象項目名】００１３
【補正方法】変更
【補正の内容】
【００１３】
本発明の錠剤供給装置は、錠剤シートを保持するシート保持部と、前記錠剤シートを搬送する搬送手段と、処方データに基づき、前記搬送手段により前記シート保持部から錠剤の取り出し位置に搬送された錠剤シートから錠剤を取り出す取り出し動作を行う錠剤取出し手段と、前記搬送手段により前記錠剤シートが排出される排出路と、前記錠剤取出し手段で錠剤の取り出し動作を行う第１の処方データに含まれる薬剤情報と、前記第１の処方データの次に前記錠剤取出し手段で錠剤の取り出し動作を行う第２の処方データに含まれる薬剤情報とが同一ではない場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出するように前記搬送手段を制御し、また、前記第１の処方データに含まれる薬剤情報と前記第２の処方データに含まれる薬剤情報とが同一である場合には、前記第１の処方データに基づく錠剤の取り出し動作が完了してから、前記第２の処方データに基づく錠剤の取り出し動作を開始するまでの間に、前記シート保持部に保持された錠剤シートを前記排出路に排出しないように前記搬送手段を制御する制御手段と、を備えることを特徴とする。